(57)【要約】【課題】段積み時等の座屈強度を向上させた空気調和機用室外機ユニットを提供する。【解決手段】本体ケーシング１の底フレーム２の下面側に取り付けた据付用脚部５，５の上部又は上部付近に対応させて、扁平な管板６，６・・・を空冷熱交換器１１の空冷フィンと空冷フィンの間に風の流れと平行となるように挿入し、該管板６，６・・・によって、空冷熱交換器１１の空気の流れを妨げることなく、本体ケーシング１の上方からの荷重に対する座屈強度を向上させた。【選択図】        図２
2008111569.tif 000002
【特許請求の範囲】
【請求項１】
空冷熱交換器（１１）、送風機（１２）、圧縮機（１３）を収納する本体ケーシング（１）の底フレーム（２）の下面側に取り付けた据付用の脚部（５），（５）の上部又は上部付近に対応させて、扁平な管板（６），（６）・・・を、上記空冷熱交換器（１１）の空冷フィンと空冷フィンの間に風の流れと平行になるように挿入することによって、上記空冷熱交換器（１１）に対する空気の流れを妨げることなく、上記本体ケーシング（１）の上方からの荷重に対する支持強度を向上させて座屈を防止するようにしたことを特徴とする空気調和機用室外機ユニット。
【請求項２】
管板（６），（６）・・・は、送風機（１２）の取付部としても機能するように構成されていることを特徴とする請求項１記載の空気調和機用室外機ユニット。
【請求項３】
本体ケーシング（１）内の機械室とファン室とは、仕切板を有することなくレイアウトされていることを特徴とする請求項１又は２記載の空気調和機用室外機ユニット。
【発明の詳細な説明】
【技術分野】
【０００１】
本願発明は、空気調和機用室外機ユニットの構造に関するものである。
【背景技術】
【０００２】
一般に空気調和機用の室外機は、箱形の本体ケーシング内の機械室部分に圧縮機等の機械装置、ファン室部分に空冷熱交換器、送風機（プロペラファン）を各々配設して構成されている。
【０００３】
ところで、このような空気調和機用室外機ユニットは、従来段積み等による上方からの荷重に対する座屈強度を確保するため、一つの方法として、例えば断面Ｌ字形に曲げた空冷熱交換器の当該曲成部に対応する本体ケーシングのコーナー部を窪ませることにより、同コーナー部付近に丈夫な専用の補強構造部を設けるようにしていた（例えば特許文献１参照）。
【０００４】
【特許文献１】特許第２６０４１９号公報（明細書第１−２頁、図２）
【発明の開示】
【発明が解決しようとする課題】
【０００５】
しかし、そのような本体ケーシングの加工による補強構造の形成は、加工が複雑で、高コストである。また本体ケーシングの形状の自由度を阻害する。さらに、コーナー部１ケ所だけの補強では全体的な補強には不十分である。
【０００６】
そこで、専用の支柱を設ける構成も採用されているが、専用の支柱の存在は、空冷熱交換器の空気の流れの妨げになり、熱交換効率を低下させる問題がある。
【０００７】
本願発明はこのような問題を解決するためになされたもので、上記本体ケーシングの底フレーム下面側に取り付けた据付用脚部の上部又は上部付近に対応させて、扁平な管板を風の流れと平行になるように上記空冷熱交換器の空冷フィンと空冷フィンの間に挿入する形で配置し、該管板によって空冷熱交換器の空気の流れを妨げることなく上方からの荷重による座屈を防止するようにした空気調和機用室外機ユニットを提供することを目的とするものである。
【課題を解決するための手段】
【０００８】
この出願の発明は、上記の目的を達成するために、次のような課題解決手段を備えて構成されている。
【０００９】
（１）  請求項１の発明
この発明は、空冷熱交換器１１、送風機１２、圧縮機１３を収納する本体ケーシング１の底フレーム２の下面側に取り付けた据付用の脚部５，５の上部又は上部付近に対応させて、扁平な管板６，６・・・を、上記空冷熱交換器１１の空冷フィンと空冷フィンの間に風の流れと平行になるように挿入することによって、上記空冷熱交換器１１に対する空気の流れを妨げることなく、上記本体ケーシング１の上方からの荷重に対する支持強度を向上させて座屈を防止するようにしたことを特徴としている。
【００１０】
このような構成によれば、本体ケーシング１の上方からの荷重に対する座屈強度を空冷熱交換器１１の風の流れと平行な管板６，６・・・部分で有効に確保向上させることができるようになり、従来のような本体ケーシングの窪み加工や専用の支柱を不要にすることができる。
【００１１】
（２）  請求項２の発明
この発明は、上記請求項１の発明の構成において、管板６，６・・・は、送風機１２の取付部としても機能するように構成されていることを特徴としている。
【００１２】
このような構成によると、本体ケーシング１内のファン室部分に専用の取付台を設けてファンモータを設置する場合（例えば特開２００３−１０６５６５号公報など）に比べて、スペースファクターが大幅に改善されるとともに、空気の流通抵抗が大きく減少する。
【００１３】
（３）  請求項３の発明
この発明は、上記請求項１又は２の発明の構成において、本体ケーシング１内の機械室とファン室とは、仕切板を有することなくレイアウトされていることを特徴としている。    このような構成によると、空冷熱交換器１１を可及的に長く機械室側にも延びるように形成することができるので、可及的有効に熱交換器の伝熱面積が拡大されて熱交換性能が向上する。
【発明の効果】
【００１４】
以上の結果、本願発明によれば、段積み時等における十分な対座屈強度を、空冷熱交換器への空気の流れを妨げることなく低コストに実現することができる空気調和機用室外機ユニットを提供することが可能となる。
【発明を実施するための最良の形態】
【００１５】
図１および図２は、本願発明の最良の実施の形態に係る空気調和機用室外機ユニットの全体および要部の構成を示している。
【００１６】
図１および図２は、先ず当該空気調和機用室外機ユニットＡの全体的な構造を示している。
【００１７】
この空気調和機用室外機ユニットＡは、例えば図１に示すように、空冷熱交換器１１、送風機１２、圧縮機１３等を図示のような状態で収納するトランク形の本体ケーシング１と、該本体ケーシング１のファン室前面側にあって送風機１２からの風を外部に吹き出す空気吹出口１ｂと、上記本体ケーシング１のファン室Ｆの側面およびファン室Ｆの側面側から機械室Ｍにいたる背面側にあって外部からの空気を吸い込む空気吸込口１ａと、上記本体ケーシング１の機械室Ｍ側の側板４と、上記本体ケーシング１の上方側天板３および該天板３と対向する下方側の底フレーム２と、該底フレーム２の下面側に前後方向に延びて設けられた左右一対の据付用の荷重強度の高い脚部１０，１０とを備えて構成されている。
【００１８】
この実施の形態の場合、上記空冷熱交換器１１は、上記本体ケーシング１のファン室Ｆ側の側面から機械室Ｍ側の背面付近まで上述した空気吸込口１ａの形状に対応してＬ字形に配設されたＬ字形熱交換器となっており、そのファン室Ｆ側の側面に対応する短片部１１ａ部分の前端と背面に対応する長片部１１ｂの左右両端、および長片部１１ｂの中間部の４ケ所には、それぞれ管板６，６・・・が上下に延びて設けられている。
【００１９】
この管板６，６・・・は、全体として水平断面形状がコ字形をなしているが、その板状の本体部の幅に比較して両側の縁部の幅が小さく形成されていて、例えば図２に示すように当該空冷熱交換器１１（１１ａ，１１ｂ）の長手方向と直交する方向に多数枚並設されているプレート状の空冷フィンと空冷フィンとの間に本体部が平行になるようにして挿入されており、可及的に空冷熱交換器１１の空気の流通を妨げないように構成されている。
【００２０】
そして、上記管板６，６・・・の内、少なくとも上記Ｌ字形の空冷熱交換器１１の長片部１１ｂの両端に設けられた管板６，６は上記本体ケーシング１の底フレーム２の下面側に取り付けられている据付用脚部５，５の上部（又は上部付近）に対応して設けられており、それらによって上記本体ケーシング１の上方からの荷重に対する座屈強度を大きく向上させ、段積み時等の座屈を防止するようにしている。
【００２１】
このような構成によれば、本体ケーシング１の上方からの荷重に対する座屈強度を空冷熱交換器１１の風の流れと平行に設置された管板６，６・・・部分で有効に確保することができるようになり、従来のような空冷熱交換器を配置する本体ケーシングコーナー部の補強構造、専用の支柱等を不要にすることができる。
【００２２】
そして、この実施の形態の場合、上記空冷熱交換器１１の長片部１１ｂの中間部および右側端部の管板６，６は、例えば図１に示すように、ファンモータ取付ブラケット７を介して羽根車１２ｂを備えたファンモータ１２ａを取り付ける取付部としても利用されるようになっている。
【００２３】
このような構成によると、本体ケーシング１内のファン室Ｆ部分に取付台を設けてファンモータを設置する場合（例えば特開２００３−１０６５６５号公報など）に比べて、スペースファクターが大幅に改善されるとともに、空気の流通抵抗が大きく減少する。
【００２４】
また、この実施の形態の場合、機械室Ｍとファン室Ｆとは従来のような仕切板を介することなくレイアウトされ、空冷熱交換器１１の長片部１１ｂが可及的に長く機械室Ｍ側に延びて形成されているので、可及的有効に空冷熱交換器１１の伝熱面積が拡大されて熱交換性能が向上する。
【図面の簡単な説明】
【００２５】
【図１】本願発明の最良の実施の形態に係る空気調和機用室外機ユニットの背後上方から見た斜視図である。
【図２】同空気調和機用室外機ユニットの天板を除去した状態の平面図である。
【符号の説明】
【００２６】
Ａは室外機ユニット、１は本体ケーシング、１ａは空気吸込口、１ｂは空気吹出口、２は底フレーム、３は天板、４は側板、５は据付用脚部、６は管板、１１は熱交換器、１２は送風機、１２ａはファンモータ、１２ｂは羽根車である。
【図１】
2008111569.tif 000003
【図２】
2008111569.tif 000004